(57)【特許請求の範囲】
【請求項１】
直交周波数分割多重（ＯＦＤＭ）システムにおいて、チャネル状態情報参照信号（ＣＳＩ−ＲＳ）の送信のために、リソース要素を割り当てる方法であって、該方法は、
１つ以上のリソース要素を２次元周波数時間ドメインへ変換することと、
該１つ以上の変換されたリソース要素を物理的なリソースブロック（ＰＲＢ）のユニットへ分割することと、
１つ以上のリソース要素を該ＰＲＢの少なくとも一部に対して該ＣＳＩ−ＲＳの送信のためにパターン付けることと
を含み、
セルごとのＣＳＩ−ＲＳリソース要素は、同一の２つのＯＦＤＭシンボル内に配置されたＣＳＩ−ＲＳリソース要素のペアとして、かつ、１つのＰＲＢにおける該２つのＯＦＤＭシンボル上の最も大きい副搬送波インデックスを有する該ＣＳＩ−ＲＳリソース要素のペアから下方へカウントして１番目、６番目および７番目の副搬送波のペアにおいて、該ＰＲＢ内にパターン付けられる、方法。
【請求項２】
請求項１の方法であって、１つのＰＲＢの時間ドメイン次元は、１つのサブフレームである、方法。
【請求項３】
請求項１の方法であって、該方法は、
セル固有参照信号（ＣＲＳ）、物理的ダウンリンク制御チャネル（ＰＤＣＣＨ）および復調参照信号（ＤＭＲＳ）のうちの少なくとも１つを含む規則的なダウンリンクサブフレームにおける前記ＣＳＩ−ＲＳに前記１つ以上のリソース要素が利用可能かどうかに基づいて決定される１つ以上のリソース要素を使用して該ＣＳＩ−ＲＳを送信することをさらに含む、方法。
【請求項４】
請求項１の方法であって、ＣＳＩ−ＲＳリソース要素のペアが割り当てられ得る前記同一の２つのＯＦＤＭシンボルは、１つのサブフレームのいずれかのスロットにおけるシンボル５およびシンボル６であるか、または１つのサブフレームの２番目のスロットにおけるシンボル２およびシンボル３である、方法。
【請求項５】
請求項１の方法であって、１つのＰＲＢにおける前記ＣＳＩ−ＲＳリソース要素のペアの前記最も大きい副搬送波インデックスは、｛７，９，１１｝のいずれかの値であり得る、方法。
【請求項６】
請求項１の方法であって、
前記ＣＳＩ−ＲＳリソース要素は、シンボル｛９，１０｝に割り当てられ、再利用ファクターは３であるか、または
該ＣＳＩ−ＲＳリソース要素は、シンボル｛５，６｝、｛９，１０｝および｛１２，１３｝に割り当てられ、再利用ファクターは５である、
方法。
【請求項７】
請求項１の方法であって、各パターンにおけるＣＳＩ−ＲＳ  ＲＥインデックス配列は、時間ドメイン配列および周波数ドメイン配列により取られ得、ｉ番目のＣＳＩ−ＲＳ  ＲＥの前記ＰＲＢ内のロケーションは、（ｋｉ，ｌｉ）により表され、０≦ｉ＜８に対してｌｉ＝ｌ’＋（ｉ  ｍｏｄ２）により与えられ、０≦ｊ＜４に対して
【数１】
0005273886.tif 000011
により与えられ、ここで（ｋ’，ｌ’）は、各ＣＳＩ−ＲＳのセルごとのパターンにおける最大の副搬送波インデックスおよび最小のシンボルインデックスを有するＣＳＩ−ＲＳリソース要素のロケーションである、方法。
【請求項８】
請求項７の方法であって、
あるセルのアンテナポートの数が８より少ない場合、前記ＣＳＩ−ＲＳのセルごとのパターンにおけるインデックス０〜３または０〜１を有するリソース要素のサブセットは、該ＣＳＩ−ＲＳを送信するための新しいＣＳＩ−ＲＳのセルごとのパターンとして使用され、
該ＣＳＩ−ＲＳのセルごとのパターンにおけるインデックス４〜７または２〜７を有するリソース要素は、パターン再利用ファクターを増加させるために追加のセルからＣＳＩ−ＲＳを、インデックス４〜７を有するリソース要素上の４ポートＣＳＩ−ＲＳおよびインデックス２ｊおよび２ｊ＋１を有するリソース要素上の２ポートＣＳＩ−ＲＳと共に送信するために使用され、ここでｊは整数である、
方法。
【請求項９】
直交周波数分割多重（ＯＦＤＭ）システムにおいてチャネル状態情報参照信号（ＣＳＩ−ＲＳ）の送信のためにリソース要素を割り当てるように構成されているステーションであって、該ステーションは、
１つ以上のリソース要素を２次元周波数時間ドメインへ変換するように構成されている変換ユニットと、
該１つ以上の変換されたリソース要素を物理的なリソースブロック（ＰＲＢ）のユニットへ分割するように構成されている分割ユニットと、
１つ以上のリソース要素を該ＰＲＢの少なくとも一部に対して該ＣＳＩ−ＲＳの送信のためにパターン付けるように構成されているパターンユニットと
を含み、
セルごとのＣＳＩ−ＲＳリソース要素は、同一の２つのＯＦＤＭシンボル内に配置されたＣＳＩ−ＲＳリソース要素のペアとして、かつ、１つのＰＲＢにおける該２つのＯＦＤＭシンボル上の最も大きい副搬送波インデックスを有する該ＣＳＩ−ＲＳリソース要素のペアから下方へカウントして１番目、６番目および７番目の副搬送波のペアにおいて、該ＰＲＢ内にパターン付けられる、ステーション。
【請求項１０】
請求項９のステーションであって、１つのＰＲＢの時間ドメイン次元は、１つのサブフレームである、ステーション。
【請求項１１】
請求項９のステーションであって、該ステーションは、
セル固有参照信号（ＣＲＳ）、物理的ダウンリンク制御チャネル（ＰＤＣＣＨ）および復調参照信号（ＤＭＲＳ）のうちの少なくとも１つを含む規則的なダウンリンクサブフレームにおける前記ＣＳＩ−ＲＳに前記１つ以上のリソース要素が利用可能かどうかに基づいて決定される１つ以上のリソース要素を使用して該ＣＳＩ−ＲＳを送信するように構成されている送信器をさらに含む、ステーション。
【請求項１２】
請求項９のステーションであって、ＣＳＩ−ＲＳリソース要素のペアが割り当てられ得る前記同一の２つのＯＦＤＭシンボルは、１つのサブフレームのいずれかのスロットにおけるシンボル５およびシンボル６であるか、または１つのサブフレームの２番目のスロットにおけるシンボル２およびシンボル３である、ステーション。
【請求項１３】
請求項９のステーションであって、１つのＰＲＢにおける前記ＣＳＩ−ＲＳリソース要素のペアの前記最も大きい副搬送波インデックスは、｛７，９，１１｝のいずれかの値であり得る、ステーション。
【請求項１４】
請求項９のステーションであって、
前記ＣＳＩ−ＲＳリソース要素は、シンボル｛９，１０｝に割り当てられ、再利用ファクターは３であるか、または
該ＣＳＩ−ＲＳリソース要素は、シンボル｛５，６｝、｛９，１０｝および｛１２，１３｝に割り当てられ、再利用ファクターは５である、
ステーション。
【請求項１５】
請求項９のステーションであって、各パターンにおけるＣＳＩ−ＲＳ  ＲＥインデックス配列は、時間ドメイン配列および周波数ドメイン配列により取られ得、ｉ番目のＣＳＩ−ＲＳ  ＲＥの前記ＰＲＢ内のロケーションは、（ｋｉ，ｌｉ）により表され、０≦ｉ＜８に対してｌｉ＝ｌ’＋（ｉ  ｍｏｄ２）により与えられ、０≦ｊ＜４に対して
【数２】
0005273886.tif 000012
により与えられ、ここで（ｋ’，ｌ’）は、各ＣＳＩ−ＲＳのセルごとのパターンにおける最大の副搬送波インデックスおよび最小のシンボルインデックスを有するＣＳＩ−ＲＳリソース要素のロケーションである、ステーション。
【請求項１６】
請求項１５のステーションであって、
あるセルのアンテナポートの数が８より少ない場合、前記ＣＳＩ−ＲＳのセルごとのパターンにおけるインデックス０〜３または０〜１を有するリソース要素のサブセットは、該ＣＳＩ−ＲＳを送信するための新しいＣＳＩ−ＲＳのセルごとのパターンとして使用され、
該ＣＳＩ−ＲＳのセルごとのパターンにおけるインデックス４〜７または２〜７を有するリソース要素は、パターン再利用ファクターを増加させるために追加のセルからＣＳＩ−ＲＳを、インデックス４〜７を有するリソース要素上の４ポートＣＳＩ−ＲＳおよびインデックス２ｊおよび２ｊ＋１を有するリソース要素上の２ポートＣＳＩ−ＲＳと共に送信するために使用され、ここでｊは整数である、
ステーション。
【請求項１７】
請求項９のステーションであって、該ステーションは、ベースステーションである、ステーション。
【請求項１８】
非一時的なコンピューターで読取り可能な媒体であって、直交周波数分割多重（ＯＦＤＭ）システムにおいてチャネル状態情報参照信号（ＣＳＩ−ＲＳ）の送信のためにリソース要素を割り当てる方法を実行するための命令を格納し、該方法は、
１つ以上のリソース要素を２次元周波数時間ドメインへ変換することと、
該１つ以上の変換されたリソース要素を物理的なリソースブロック（ＰＲＢ）のユニットへ分割することと、
１つ以上のリソース要素を該ＣＳＩ−ＲＳの送信のために該ＰＲＢの少なくとも一部に対してパターン付けることと
を含み、
セルごとのＣＳＩ−ＲＳリソース要素は、１つのＰＲＢにおける２つのＯＦＤＭシンボル上の最も大きい副搬送波インデックスを有する該ＣＳＩ−ＲＳリソース要素のペアから下方へカウントして１番目、６番目および７番目の副搬送波のペアにおいて、かつ、同一の２つのＯＦＤＭシンボル内に配置されたＣＳＩ−ＲＳリソース要素のペアとして、該ＰＲＢ内にパターン付けられる、媒体。
【請求項１９】
請求項１８のコンピューターで読取り可能な媒体であって、１つのＰＲＢの時間ドメイン次元は、１つのサブフレームである、媒体。
【請求項２０】
請求項１８のコンピューターで読取り可能な媒体であって、前記方法は、
セル固有参照信号（ＣＲＳ）、物理的ダウンリンク制御チャネル（ＰＤＣＣＨ）および復調参照信号（ＤＭＲＳ）のうちの少なくとも１つを含む規則的なダウンリンクサブフレームにおける前記ＣＳＩ−ＲＳに前記１つ以上のリソース要素が利用可能かどうかに基づいて決定される１つ以上のリソース要素を用いて、該ＣＳＩ−ＲＳを送信すること
をさらに含む、媒体。
【請求項２１】
請求項１８のコンピューターで読取り可能な媒体であって、ＣＳＩ−ＲＳリソース要素のペアが割り当てられ得る前記同一の２つのＯＦＤＭシンボルは、１つのサブフレームのいずれかのスロットにおけるシンボル５およびシンボル６であるか、または１つのサブフレームの２番目のスロットにおけるシンボル２およびシンボル３である、媒体。
【請求項２２】
請求項１８のコンピューターで読取り可能な媒体であって、１つのＰＲＢにおける前記ＣＳＩ−ＲＳリソース要素のペアの前記最も大きい副搬送波インデックスは、｛７，９，１１｝のいずれかの値であり得る、媒体。
【請求項２３】
請求項１８のコンピューターで読取り可能な媒体であって、
前記ＣＳＩ−ＲＳリソース要素は、シンボル｛９，１０｝に割り当てられ、再利用ファクターは３であるか、または
該ＣＳＩ−ＲＳリソース要素は、シンボル｛５，６｝、｛９，１０｝および｛１２，１３｝に割り当てられ、再利用ファクターは５である、
媒体。
【請求項２４】
請求項１８のコンピューターで読取り可能な媒体であって、各パターンにおけるＣＳＩ−ＲＳ  ＲＥインデックス配列は、時間ドメイン配列および周波数ドメイン配列により取られ得、ｉ番目のＣＳＩ−ＲＳ  ＲＥの前記ＰＲＢ内のロケーションは、（ｋｉ，ｌｉ）により表され、０≦ｉ＜８に対してｌｉ＝ｌ’＋（ｉ  ｍｏｄ２）により与えられ、０≦ｊ＜４に対して
【数３】
0005273886.tif 000013
により与えられ、ここで（ｋ’，ｌ’）は、各ＣＳＩ−ＲＳのセルごとのパターンにおける最大の副搬送波インデックスおよび最小のシンボルインデックスを有するＣＳＩ−ＲＳリソース要素のロケーションである、媒体。
【請求項２５】
請求項２４のコンピューターで読取り可能な媒体であって、
あるセルのアンテナポートの数が８より少ない場合、前記ＣＳＩ−ＲＳのセルごとのパターンにおけるインデックス０〜３または０〜１を有するリソース要素のサブセットは、該ＣＳＩ−ＲＳを送信するための新しいＣＳＩ−ＲＳのセルごとのパターンとして使用され、
該ＣＳＩ−ＲＳのセルごとのパターンにおけるインデックス４〜７または２〜７を有するリソース要素は、パターン再利用ファクターを増加させるために追加のセルからＣＳＩ−ＲＳを、インデックス４〜７を有するリソース要素上の４ポートＣＳＩ−ＲＳおよびインデックス２ｊおよび２ｊ＋１を有するリソース要素上の２ポートＣＳＩ−ＲＳと共に送信するために使用され、ここでｊは整数である、
媒体。
【発明の詳細な説明】
【技術分野】
【０００１】
（関連出願に対する相互参照）
本願は、２０１０年２月２４日に出願された「ＣＳＩ−ＲＳ  ＲＥＳＯＵＲＣＥ  ＡＬＬＯＣＡＴＩＯＮ  ＩＮ  ＬＴＥ−ＡＤＶＡＮＣＥ  ＳＹＳＴＥＭＳ」というタイトルの米国仮特許出願第６１／３０７，８０７と、２０１０年５月２７日に出願された「ＭＥＴＨＯＤＳ  ＡＮＤ  ＳＹＳＴＥＭＳ  ＦＯＲ  ＴＲＡＮＳＭＩＳＳＩＯＮ  ＯＦ  ＣＳＩ−ＲＳ  ＩＮ  ＬＴＥ−ＡＤＶＡＮＣＥ  ＳＹＳＴＥＭＳ」というタイトルの米国仮特許出願第６１／３４９，１５３とに対する優先権を主張する。この両方の仮特許出願の内容は、本明細書に、参照することで全体的に組み込まれている。
【０００２】
（本発明の分野）
本発明は一般にワイヤレスコミュニケーションに関し、より具体的にはチャネル状態情報参照信号（ＣＳＩ−ＲＳ）リソースをワイヤレスコミュニケーションシステムにおいて割り当て、ＣＳＩ−ＲＳを送信する方法およびシステムに関する。
【背景技術】
【０００３】
（背景）
ワイヤレスコミュニケーションシステムにおいて、ダウンリンク参照信号は、通常は、マルチユーザスケジューリングに使用されるチャネル質測定のための参照と同様に、一貫した復調に使用されるチャネル概算のための参照を提供するために生成される。ＬＴＥ  Ｒｅｌ−８仕様書において、セル固有参照信号（ＣＲＳ）と呼ばれる１つの単一のタイプのダウンリンク参照フォーマットは、チャネル概算とチャネル質測定の両方に対して定義される。Ｒｅｌ−８  ＣＲＳの特徴は、使用者機器（ＵＥ）が実際に必要な複数のイン、複数のアウト（ＭＩＭＯ）チャネルランクに関わらず、ベースステーションが、ＭＩＭＯ層／ポートの最大数に基づいた全てのＵＥにＣＲＳを常に放送し得ることを含む。
【０００４】
３ＧＰＰ  ＬＴＥ  Ｒｅｌ−８システムにおいて、送信時間は１０ｍｓ長のフレームのユニットに分割され、さらにサブフレーム＃０からサブフレーム＃９まで名付けられた１０のサブフレームに均等に分割される。ＬＴＥ周波数分割複信（ＦＤＤ）システムは、各フレームに１０の連続したダウンリンクサブフレームおよび１０の連続したアップリンクサブフレームを有す一方で、ＬＴＥ時間分割複信（ＴＤＤ）システムは、複数のダウンリンク−アップリンク割り当てを有し、そのダウンリンクおよびアップリンクサブフレーム指定は表１に与えられる。ここでは、Ｄ、Ｕ、Ｓという文字は、対応するサブフレームを表し、それぞれダウンリンクサブフレーム、アップリンクサブフレーム、サブフレームの最初の部分におけるダウンリンク送信およびサブフレームの最後の部分におけるアップリンク送信を含む特別なサブフレームを参照する。
【０００５】
【表１】
0005273886.tif 000002
ＬＴＥの１つのシステム構成例（通常サイクルプレフィクスまたは通常ＣＰと呼ばれる）において、各サブフレームは、０から１３のインデックスを有する１４の均等持続時間シンボルを含む。１つの時間シンボル内の全バンド幅までの周波数ドメインリソースは、副搬送波に分割される。１つの物理的なリソースブロック（ＰＲＢ）は、長方形の２−Ｄ周波数時間リソースエリアに対して定義され、例えば図２に示されるように、周波数ドメインに対して１２の連続的な副搬送波、時間ドメインに対して１つのサブフレームをカバーし、１２＊１４＝１６８のリソース要素（ＲＥ）を有する。加えて、各サブフレームは、また、２つの等しい長さのスロットを有し得、各スロットは７のＯＦＤＭシンボルを含む。通常のＣＰ構成において、ＯＦＤＭシンボルはスロットごとにインデックスが付され、ここでシンボルインデックスは０から６までである。ＯＦＤＭシンボルは、また、サブフレームごとにインデックが付され、ここでシンボルインデックスは０から１３までである。
【０００６】
各通常のサブフレームは２つの部分、ＰＤＣＣＨ（物理的ダウンリンク制御チャネル）領域およびＰＤＳＣＨ（物理的ダウンリンク共有チャネル）領域に分割される。ＰＤＣＣＨ領域は通常、サブフレームごとの最初のいくつかのシンボルを占め、ハンドセット特定制御チャネルを搬送する。ＰＤＳＣＨ領域は、サブフレームの残りを占め、汎用トラフィックを搬送する。ＬＴＥシステムは、以下のダウンリンク送信が義務的であることを要求する。
【０００７】
一次同期信号（ＰＳＳ）および二次同期信号（ＳＳＳ）：これら２つの信号は、全てのフレームで繰り返し、ＵＥが始動した後、最初の同期およびセル識別検知のために役立つ。ＰＳＳの送信は、通常のＣＰを有するＦＤＤシステムに対してサブフレーム｛０，５｝のシンボル＃６および、ＴＤＤシステムに対してサブフレーム｛１，６｝のシンボル＃２で発生する。ＳＳＳの送信は、通常のＣＰを有するＦＤＤに対してサブフレーム｛０，５｝のシンボル＃５および、通常のＣＰを有するＴＤＤに対してサブフレーム｛０，５｝のシンボル＃１３で発生する。
【０００８】
物理的放送チャネル（ＰＢＣＨ）：ＰＢＣＨも全てのフレームで繰り返し、不可欠なセル情報の放送のために機能する。その送信は、サブフレーム＃０の４つのシンボル｛７〜１０｝に対して発生する。
【０００９】
セル固有参照信号（ＣＲＳ）：ＣＲＳは、ダウンリンク信号強度測定および同一のリソースブロックのＰＤＳＣＨの一貫した復調のために機能する。また、ＰＳＳおよびＳＳＳになされたセル識別の照合のために使用されることもある。ＣＲＳ送信は、各通常のサブフレームにおいて同一のパターンを有し、通常のＣＰサブフレームの４つの送信アンテナポートの最大数を有するシンボル｛０，１，４，７，８，１１｝上に発生する。各ＣＲＳシンボルは、図２に示されるように、周波数ドメインにおいてリソースブロック次元ごとのポートごとの２つのＣＲＳ副搬送波を搬送する。
【００１０】
システム情報ブロック（ＳＩＢ）：ＳＩＢは、ＰＢＣＨに対して送信されない放送情報である。全てのハンドセットにより復号化される特定ＰＤＳＣＨで搬送される。ＬＴＥにおいて複数のタイプのＳＩＢがあり、ＳＩＢタイプ１（ＳＩＢ１）を除いて、ほとんどが構成的により長い送信サイクルを有する。ＳＩＢ１は全ての均等なフレームのサブフレーム＃５でスケジュール固定されている。ＳＩＢは、対応するＰＤＣＣＨに与えられたシステム情報ラジオネットワーク一時識別子（ＳＩ−ＲＮＴＩ）により識別されたＰＤＳＣＨにおいて送信される。
【００１１】
ページングチャネル（ＰＣＨ）：ページングチャネルは、アイドルモードのハンドセットをアドレスするため、またはＳＩＢにおける内容改変のようなシステムワイドなイベントをハンドセットに知らせるために使用される。ＬＴＥ  Ｒｅｌ−８において、ＰＣＨは、ＦＤＤに対する｛９｝、｛４，９｝および｛０，４，５，９｝およびＴＤＤに対する｛０｝、｛０，５｝、｛０，１，５，６｝からの構成選択セットからの任意のサブフレームに送られ得る。ＰＣＨは、対応するＰＤＣＣＨに与えられたページングＲＮＴＩ（Ｐ−ＲＮＴＩ）により識別されたＰＤＳＣＨにおいて送信される。
【００１２】
ＳＩＢおよびＰＣＨが、少なくとも６つのＰＲＢである全周波数バンド幅内の任意の部分において送信され得る一方で、ＰＳＳ／ＳＳＳ／ＰＢＣＨは、周波数ドメインにおける６つの中央ＰＲＢ内で送信されることが注記される。
【００１３】
図２に示される通常のサブフレームに加えて、ＬＴＥシステムは、また、１つの特別なサブフレームタイプ−単一周波数ネットワークを介したマルチメディア放送（ＭＢＳＦＮ）サブフレームを定義する。このタイプのサブフレームは、通常のデータトラフィックおよびＣＲＳをＰＤＳＣＨ領域から除外するために定義される。換言すると、このタイプのサブフレームは、例えば、ゼロ送信領域を識別するために、ベースステーションにより使用され得、ハンドセットはこの領域内のＣＲＳを検索しようとしない。ＦＤＤにおけるダウンリンクサブフレーム｛１，２，３，６，７，８｝およびＴＤＤにおけるダウンリンクサブフレーム｛３，４，７，８，９｝は、ＭＢＳＦＮサブフレームとして構成され得る。本開示において、これらのサブフレームはＭＢＳＦＮ使用可能サブフレームと名付けられ、一方で残りのダウンリンクサブフレームは非ＭＢＳＦＮ使用可能サブフレームと呼ばれ得る。不可欠なダウンリンク信号および上記で述べたチャネル（例えば、ＰＳＳ／ＳＳＳ、ＰＢＣＨ、ＳＩＢおよびＰＣＨ）のほとんどは非ＭＢＳＦＮ使用可能サブフレームで送信される。
【００１４】
サポートされたアンテナポート（８まで）の多大な数に起因して、３ＧＰＰ  ＬＴＥはＲｅｌ−８からＲｅｌ−１０（またＬＴＥ−ａｄｖａｎｃｅまたはＬＴＥ−Ａと呼ばれる）へ発展したが、全てのポート上にＣＲＳのような参照信号を供給するためには多大な製造間接費がかかり得る。ダウンリンク参照信号役割を以下の異なるＲＳ信号送信に分離することが合意される。
【００１５】
復調参照信号（ＤＭＲＳ）：このタイプのＲＳは、一貫したチャネル概算のために使用され、十分な密度を有し、ＵＥごとに送られるべきである。
【００１６】
チャネル状態情報参照信号（ＣＳＩ−ＲＳ）：このタイプのＲＳは、全てのＵＥによるチャネル質測定のために使用され、周波数時間ドメインに対してインプリメントされ得る。
【００１７】
以下のことが３ＧＰＰ標準体において同意される。各ＰＲＢにおけるＤＭＲＳパターンは、図２に示されるように２４ＲＥに配置されるように決定されること；ＣＳＩ−ＲＳ  ＲＥはＰＤＣＣＨおよびＲｅｌ−８  ＣＲＳを搬送するシンボルに割り当てられ得ないこと（つまり、ＣＳＩ−ＲＳは、図２で、「アンテナポートｋ上のＣＲＳ  ＲＥ」および「ＣＲＳシンボル上のＤａｔａ  ＲＥ」と名付けられたシンボル上のＲＥに割り当てられ得ないこと）；ＣＳＩ−ＲＳは、Ｒｅｌ−８  ＵＥによりＰＳＳ／ＳＳＳまたはＰＢＣＨと解釈されないリソース要素に挿入され得るに過ぎないこと；同一のＣＳＩ−ＲＳパターンが非ＭＢＳＦＮサブフレームとＭＢＳＦＮサブフレーム間で望まれること。換言すれば、ＣＳＩ−ＲＳパターンは、非ＭＢＳＦＮサブフレームで利用可能なリソースに基づいてデザインされること；セルごとのＣＳＩ−ＲＳ送信サイクルは、５ｍｓの整数倍であり、セルごとの全てのポートに対するＣＳＩ−ＲＳ  ＲＥのサイクルごとの送信は、単一のサブフレーム内で実行されること；ＮＡＮＴはセルごとのＣＳＩ−ＲＳアンテナポートの数として示されること。ＣＳＩ−ＲＳの平均密度はＮＡＮＴ∈｛２，４，８｝に対するＰＲＢごとのアンテナポートごとの１つのＲＥであること。
【００１８】
これらの合意に基づいて、本開示は、以下の説明を考慮して明らかになる他の特徴の中で、ＣＳＩ−ＲＳ信号を割り当てるさらなる原理と方法を提供する。ソフトウェアおよびハードウェアにおけるセル識別方法の、これらおよび他のインプリメンテーションおよび例は、添付の図面および詳細な説明でさらに詳細に説明される。
【発明の概要】
【発明が解決しようとする課題】
【００１９】
（発明の概要）
本明細書で開示される実施形態は、添付の図面に関連してみたとき、以下の詳細な説明を参照することにより容易に明らかとなる追加の特徴を提供することとならび、先行技術で示された１つ以上の課題に関する問題を解決することに関する。
【課題を解決するための手段】
【００２０】
本発明の１つの実施形態は、直交周波数分割多重（ＯＦＤＭ）システムにおいて、チャネル状態情報参照信号（ＣＳＩ−ＲＳ）の送信のためにリソース要素を割り当てる方法に関する。方法は、１つ以上のリソース要素を２次元周波数時間ドメインへ変換すること；１つ以上の変換されたリソース要素を物理的なリソースブロック（ＰＲＢ）のユニットへ分割することを含む。１つ以上のリソース要素は、ＣＳＩ−ＲＳの送信のためにＰＲＢの少なくとも一部に対してパターン付けられる。さまざまな実施形態に従って、方法は、セル固有参照信号（ＣＲＳ）、物理的ダウンリンク制御チャネル（ＰＤＣＣＨ）および復調参照信号（ＤＭＲＳ）のうちの少なくとも１つを含む規則的なダウンリンクサブフレームにおけるＣＳＩ−ＲＳに、１つ以上のリソース要素が利用可能かどうかに基づいて決定される１つ以上のリソース要素を使用して、ＣＳＩ−ＲＳを送信することを含み得る。実施形態に従って、共通セルに対して同一の副搬送波インデックスを有するＣＳＩ−ＲＳリソース要素は、コード分割多重（ＣＤＭ）であり、ＣＤＭ次元は、共通セルに対して同一の副搬送波インデックスを有するＣＳＩ−ＲＳリソース要素の数に等しい。
【００２１】
別の実施形態は、ＯＦＤＭシステムにおいて、ＣＳＩ−ＲＳの送信のためにリソース要素を割り当てるように構成されているステーションに関する。ステーションは、１つ以上のリソース要素を２次元周波数時間ドメインに変換するように構成されている変換ユニット；１つ以上の変換されたリソース要素を物理的なリソースブロック（ＰＲＢ）のユニットへ分割するように構成されている分割ユニット；１つ以上のリソース要素をＣＳＩ−ＲＳの送信のためにＰＲＢの少なくとも一部に対してパターン付けるように構成されているパターンユニットを含み得る。ある実施形態に従って、ステーションはベースステーションである；しかし任意のステーション（例えばモバイルステーション）が前述の特徴を同様に実行し得る。
【００２２】
さらに別の実施形態は、ＣＳＩ−ＲＳの送信のためにＯＦＤＭシステムにおいてリソース要素を割り当てる方法を実行するための命令を媒体上へ格納する非一時的な、コンピューターで読取り可能な媒体に関する。方法は、１つ以上のリソース要素を２次元周波数時間ドメインへ変換すること；１つ以上の変換されたリソース要素を物理的なリソースブロック（ＰＲＢ）のユニットへ分割することを含む。１つ以上のリソース要素は、ＣＳＩ−ＲＳの送信のためにＰＲＢの少なくとも一部に対してパターン付けられる。
【００２３】
本発明のさまざまな実施形態の構造と作動にならび、本発明のさらなる特徴および利点が、添付の図面に関して下記で詳細に説明される。
【図面の簡単な説明】
【００２４】
（図面の簡単な説明）
本発明のさまざまな例示的な実施形態が、以下の図に関して下記で詳細に説明される。図面は、描写の目的のみのために提供され、本発明の例示的な実施形態を描写するに過ぎない。これらの図面は、読者の本発明の理解を促進するために提供され、本発明の幅、範囲または適用可能性を限定すると考えられるべきではない。描写の明確性および容易さのため、これらの図面は必ずしも一定の縮尺比で描かれてはいないことは注記されるべきである。
【図１】図１は、本発明の１つの実施形態に従って、送信および送信を受信する例示的なワイヤレスコミュニケーションシステムを示す。
【図２】図２は、本発明の１つの実施形態に従って、ＣＲＳおよびＤＭＲＳを有する物理的なリソースブロックを描写する。
【図３Ａ】図３Ａは、本発明の１つの実施形態に従って、例示的なＣＳＩ−ＲＳのセルごとのパターン（タイプ１）である。
【図３Ｂ】図３Ｂは、本発明の１つの実施形態に従って、例示的なＣＳＩ−ＲＳのセルごとのパターン（タイプ２）である。
【図４Ａ】図４Ａは、本発明の１つの実施形態に従って、３つのうちの１つの再利用ファクターを有する例示的なＣＳＩ−ＲＳのセルごとのパターン（タイプ１）である。
【図４Ｂ】図４Ｂは、本発明の１つの実施形態に従って、３つのうちの１つの再利用ファクターを有する例示的なＣＳＩ−ＲＳのセルごとのパターン（タイプ２）である。
【図５】図５は、本発明の１つの実施形態に従って、５つのうちの１つの再利用ファクターを有する例示的なＣＳＩ−ＲＳのセルごとのパターンである。
【図６】図６は、本発明の１つの実施形態に従って、６つのうちの１つの再利用ファクターを有する例示的なＣＳＩ−ＲＳのセルごとのパターンである。
【図７Ａ】図７Ａは、本発明の１つの実施形態に従って、ＣＳＩ−ＲＳのセルごとのパターン（タイプ１）ＲＥ配列のための２つの例示的オプションを提供する。
【図７Ｂ】図７Ｂは、本発明の１つの実施形態に従って、ＣＳＩ−ＲＳのセルごとのパターン（タイプ２）ＲＥ配列のための２つの例示的オプションを提供する。
【図７Ｃ】図７Ｃは、本発明の１つの実施形態に従って、ＣＳＩ−ＲＳのセルごとのパターン（タイプ３）ＲＥ配列のための２つの例示的オプションを提供する。
【発明を実施するための形態】
【００２５】
（例示的実施形態の詳細な説明）
以下の説明は、当業者が本発明を作製および使用することを可能にするために示される。特定のデバイス、技術および用途の説明は、例としてのみ提供される。本明細書で説明される例に対するさまざまな改変が、当業者にとっては容易に明確になり、本明細書で定義される一般原則は、本発明の精神および範囲を逸脱することなしに、他の例および応用に適用され得る。そのため、本発明は本明細書で説明され、示される例に限定する意図ではなく、特許請求の範囲に矛盾しない範囲に従う。
【００２６】
「例示的」という言葉は、本明細書では「例または実例としてふるまう」ことを意味するために使用される。本明細書で「例示的」として説明される任意の側面またはデザインは、他の側面またはデザインに対して好ましいかまたは好都合であると必ずしも解釈されない。
【００２７】
ここで主題の技術の側面を詳細に参照すると、その例は添付の図に描写されていて、類似の参照番号は一貫して類似の要素に言及している。
【００２８】
本明細書で開示される処理におけるステップの特定の順または階層は、例示的アプローチの一例であることは理解されるべきである。デザインの好ましさに基づいて、処理におけるステップの特定の順または階層は、本発明の範囲内に維持される一方で、再アレンジされ得ることは理解されるべきである。添付の方法は、サンプルの順におけるさまざまなステップの本要素を主張し、示される特定の順または階層に限定される意味ではない。
【００２９】
図１は、本発明の一実施形態に従って、送信および送信を受信する例示的ワイヤレスコミュニケーションシステム１００を示す。システム１００は、本明細書で詳細に説明する必要がない公知または従来の作動特徴をサポートするように構成されているコンポーネントおよび要素を含み得る。システム１００は一般的に、ベースステーショントランシーバーモジュール１０３、ベースステーションアンテナ１０６、ベースステーションプロセッサモジュール１１６およびベースステーションメモリモジュール１１８を有するベースステーション１０２を備える。システム１００は一般的に、モバイルステーショントランシーバーモジュール１０８、モバイルステーションアンテナ１１２、モバイルステーションメモリモジュール１２０、モバイルステーションプロセッサモジュール１２２およびネットワークコミュニケーションモジュール１２６を有するモバイルステーション１０４を備える。当然、ベースステーション１０２とモバイルステーション１０４の両方は、本発明の範囲を逸脱することなしに、追加または代替のモジュールを含み得る。さらに、１つだけのベースステーション１０２および１つだけのモバイルステーション１０４が例示的システム１００において示されているが、任意の数のベースステーション１０２およびモバイルステーション１０４が含まれ得る。
【００３０】
システム１００のこれらおよび他の要素は、データコミュニケーションバス（例えば、１２８、１３０）または任意の適切な相互接続配列を用いて、一緒に相互接続され得る。そのような相互接続は、ワイヤレスシステム１００のさまざまな要素間のコミュニケーションを促進する。当業者は、本明細書で開示される実施形態に関連して説明される、さまざまな例示的ブロック、モジュール、回路および処理ロジックが、ハードウェア、コンピューター読取り可能なソフトウェア、ファームウェアまたはそれらの任意の実用的な組み合わせにおいてインプリメントされ得ることを理解する。ハードウェア、ファームウェアおよびソフトウェアのこの交換可能性および互換性を明確に描写するために、さまざまな例示的コンポーネント、ブロック、モジュール、回路およびステップが、一般的にその機能性の点から説明される。そのような機能性がハードウェア、ファームウェアまたはソフトウェアとしてインプリメントされるかどうかは、システム全体に課された特定の用途およびデザイン制限に依存する。本明細書で説明される概念に精通する者は、そのような機能性を各特定の用途に対して適切な方法でインプリメントし得るが、そのようなインプリメンテーションの決定は、本発明の範囲からの逸脱を生じさせるものとして解釈されるべきではない。
【００３１】
例示的システム１００において、ベースステーショントランシーバー１０３、モバイルステーショントランシーバー１０８は、それぞれ、送信器モジュールおよび受信器モジュール（示されていない）を備える。加えて、この図には示されていないが、当業者は、送信器が１つより多くの受信器に送信し得ることと、複数の送信器が同一の受信器に送信し得ることとを認識する。ＴＤＤシステムにおいて、送信から受信へ、およびその逆の移行に対して保護するためのガードバンドとして、送信および受信のタイミングギャップが存在する。
【００３２】
図１に描写される特定の例示的システムにおいて、「アップリンク」トランシーバー１０８は、アンテナをアップリンク受信器と共有する送信器を含む。デュプレックススイッチは、アップリンク送信器またはアップリンク受信器を時間二重方式（ｔｉｍｅ  ｄｕｐｌｅｘ  ｆａｓｈｉｏｎ）で交互にアップリンクアンテナに連結し得る。同様に、「ダウンリンク」トランシーバー１０３は、ダウンリンクアンテナをダウンリンク送信器と共有する受信器を含む。ダウンリンクデュプレックススイッチは、ダウンリンク送信器またはダウンリンク受信器を時間二重方式で交互にダウンリンクアンテナに連結し得る。
【００３３】
モバイルステーショントランシーバー１０８およびベースステーショントランシーバー１０３は、ワイヤレスデータコミュニケーションリンク１１４を介してコミュニケーションするように構成されている。モバイルステーショントランシーバー１０８およびベースステーショントランシーバー１０２は、特定のワイヤレスコミュニケーションプロトコルおよび変調スキームをサポートし得る、適切に構成されたＲＦアンテナ配列１０６／１１２と協同する。例示的実施形態において、モバイルステーショントランシーバー１０８およびベースステーショントランシーバー１０２はＴｈｉｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ（３ＧＰＰ  ＬＴＥ）、Ｔｈｉｒｄ  Ｇｅｎｅｒａｔｉｏｎ  Ｐａｒｔｎｅｒｓｈｉｐ  Ｐｒｏｊｅｃｔ  ２  Ｕｌｔｒａ  Ｍｏｂｉｌｅ  Ｂｒｏａｄｂａｎｄ（３Ｇｐｐ２  ＵＭＢ）、Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ（ＴＤ−ＳＣＤＭＡ）およびＷｉｒｅｌｅｓｓ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）などのような産業基準をサポートするように構成されている。モバイルステーショントランシーバー１０８およびベースステーショントランシーバー１０２は、８０２．１６ｅ、８０２．１６ｍなどのようなＩＥＥＥ  ８０２．１６の今後のバリエーションを含む、代替または追加のワイヤレスデータコミュニケーションプロトコルをサポートするように構成され得る。
【００３４】
ある実施形態に従って、ベースステーション１０２は、ラジオリソース指定および割り当てを制御し、モバイルステーション１０４は、分配プロトコルを復号化し、解釈するように構成されている。例えば、複数のモバイルステーション１０４が、１つのベースステーション１０２により制御される同一のラジオチャンネルを共有しているシステムにおいて、そのような実施形態が採用される。しかし、代替の実施形態において、モバイルステーション１０４は特定のリンクに対するラジオリソースの分配を制御し、本明細書で説明されるようなラジオリソースコントローラーまたは分配器の役割をインプリメントし得る。
【００３５】
プロセッサモジュール１１６／１２２は、汎用プロセッサ、コンテントアドレッサブルメモリ、デジタル信号プロセッサ、特定用途向け集積回路、フィールドプログラマブルゲートアレイ、任意の適切なプログラマブルロジックデバイス、不連続ゲートまたはトランジスタロジック、不連続ハードウェアコンポーネント、または本明細書で説明される機能を行うようにデザインされたそれらの任意の組み合わせと共に、インプリメントまたは実現され得る。この方法で、プロセッサは、マイクロプロセッサ、コントローラー、マイクロコントローラー、ステートマシーンなどとして実現され得る。プロセッサは、例えばデジタル信号プロセッサおよびマイクロプロセッサ、複数のマイクロプロセッサ、デジタル信号プロセッサコアに関連した１つ以上のマイクロプロセッサ、または任意の他のそのような構成の組み合わせのようなコンピュータデバイスの組合せとして、また、インプリメントされ得る。プロセッサモジュール１１６／１２２は、システム１００の作動に関連付けられた機能、技術および処理タスクを実行するように構成されている処理ロジックを備える。特に、処理ロジックは、本明細書で説明されるフレームストラクチャーパラメータをサポートするように構成されている。実用的な実施形態において、処理ロジックは、ベースステーションに常駐であり得るか、かつ／またはベースステーショントランシーバー１０３とコミュニケーションするネットワークアーキテクチャーの一部であり得る。
【００３６】
本明細書で開示される実施形態に関連して説明される方法またはアルゴリズムのステップは、ハードウェア、ファームウェア、プロセッサモジュール１１６／１２２により実行されるソフトウェアモジュールまたはそれらの任意の実用的な組み合わせにおいて直接実施され得る。ソフトウェアモジュールはメモリモジュール１１８／１２０に常駐し得、メモリモジュールはＲＡＭメモリ、フラッシュメモリ、ＲＯＭメモリ、ＥＰＲＯＭメモリ、ＥＥＰＲＯＭメモリ、レジスター、ハードディスク、リムーバブルディスク、ＣＤ−ＲＯＭ、または当業者に公知の任意の他の格納媒体の形態として実現され得る。これに関して、メモリモジュール１１８／１２０は、プロセッサモジュール１１６／１２０がメモリモジュール１１８／１２０から情報を読み込め、かつ情報を書き込めるように、プロセッサモジュール１１８／１２２にそれぞれ連結され得る。例として、プロセッサモジュール１１６、メモリモジュール１１８、プロセッサモジュール１２２およびメモリモジュール１２０は、それぞれのＡＳＩＣに常駐し得る。メモリモジュール１１８／１２０は、また、プロセッサモジュール１１６／１２０に統合され得る。実施形態において、メモリモジュール１１８／２２０は、プロセッサモジュール１１６／２２２により実行される命令の実行の間、一時的な変数または他の中間情報を格納するためのキャッシュメモリを含み得る。メモリモジュール１１８／１２０は、また、プロセッサモジュール１１６／１２０により実行される命令を格納するための不揮発性のメモリを含み得る。
【００３７】
メモリモジュール１１８／１２０は、本発明の例示的実施形態に従って、フレームストラクチャーデータベース（示されていない）を含み得る。フレームストラクチャーパラメータデータベースは、下記で説明される方法で、システム１００の機能性をサポートするのに必要なものとしてデータを格納、維持および提供するように構成され得る。さらに、フレームストラクチャーデータベースは、プロセッサ１１６／１２２に連結されたローカルデータベースであり得るか、または例えばリモートデータベース、中心ネットワークデータベースなどであり得る。フレームストラクチャーデータベースは、制限なく、下記で説明されるようにフレームストラクチャーパラメータを維持するように構成され得る。この方法により、フレームストラクチャーデータベースは、フレームストラクチャーパラメータを格納する目的のためのルックアップテーブルを含み得る。
【００３８】
ネットワークコミュニケーションモジュール１２６は、一般的に、ハードウェア、ソフトウェア、ファームウェア、処理ロジック、および／またはベースステーショントランシーバー１０３とベースステーショントランシーバー１０３が接続されているネットワークコンポーネントとの間の２方向コミュニケーションを可能にするシステム１００の他のコンポーネントを表す。例えば、ネットワークコミュニケーションモジュール１２６は、インターネットまたはＷｉＭＡＸトラフィックをサポートするように構成され得る。典型的な配置において、ネットワークコミュニケーションモジュール１２６は、ベースステーショントランシーバー１０３が、コンピューターネットワークに基づいた従来のＥｔｈｅｒｎｅｔ（登録商標）とコミュニケーションし得るために、制限なしに８０２．３  Ｅｔｈｅｒｎｅｔ（登録商標）インターフェイスを提供する。この方法により、ネットワークコミュニケーションモジュール１２６は、コンピューターネットワーク（例えばモバイルスイッチングセンター（ＭＳＣ））に接続するための物理的なインターフェイスを含み得る。
【００３９】
本開示で説明される機能は、ベースステーション１０２またはモバイルステーション１０４のどちらかにより実行され得ることが注記される。モバイルステーション１０４は、携帯電話のような任意の使用者デバイスであり得、モバイルステーションはまた、ＵＥと呼ばれ得る。
【００４０】
本明細書で開示される実施形態は、特定の用途を有するが、第４世代ワイヤレスシステムの候補の１つであるＬｏｎｇ  Ｔｅｒｍ  Ｅｖｏｌｕｔｉｏｎ（ＬＴＥ）システムに限定されない。本明細書で説明される実施形態は、例えば図３Ａおよび図３Ｂで示されるような、さまざまなＣＳＩ−ＲＳのセルごとのパターンを提供する。これらＣＳＩ−ＲＳのセルごとのパターンの各々は、さまざまな実施形態に従って、１つの単一のセルに所属し得る８つのＣＳＩ−ＲＳ  ＲＥのレイアウトを示す。
【００４１】
図３Ａおよび図３Ｂにおいて、同一のセルに所属するＣＳＩ−ＲＳ  ＲＥは、同一のパターンにマークされる。本発明の範囲から逸脱することなしに、任意の多重放送スキームが、これらのパターンの各々に対して許容されることは注記されるべきである。例えば、ＦＤＭ＋ＴＤＭ多重放送において、各ＣＳＩ−ＲＳ  ＲＥは、１つだけのＣＳＩ−ＲＳアンテナポートにより使用され得る。ＣＤＭ＋ＦＤＭ（またＣＤＭ−Ｔを示す）多重放送において、同一のセルに対して同一の副搬送波インデックスを有するＣＳＩ−ＲＳ  ＲＥは、多重放送されたＣＤＭであり得、ＣＤＭ寸法は、同一の単一のセルに対して同一の副搬送波インデックスを有するＣＳＩ−ＲＳ  ＲＥの数に等しい。例示的な目的のため、ＣＤＭ寸法はＣＳＩ−ＲＳのセルごとのパターンタイプ１（図３Ａに示される）およびタイプ２（図３Ｂに示される）に対して２であり得るか、または他のＣＳＩ−ＲＳのセルごとのパターンに対して４であり得る。
【００４２】
これらＣＳＩ−ＲＳのセルごとのパターンに基づき、ＰＲＢごとの異なるＣＳＩ−ＲＳパターンが築かれ得る。まず、ＣＳＩ−ＲＳのセルごとのパターンタイプ１とタイプ２の両方が、例えば、図４Ａおよび図４Ｂに示されるように１つのサブフレームのシンボル｛９、１０｝だけに適用され得る。この場合、再利用ファクターは３に等しい（つまり、３つの異なるセルが、互いが単一のサブフレームで重複することなしに多重放送され得る）。一方で、この特定のパターンで、周波数ドメインシフトを実行することが可能である。この周波数ドメインシフトオフセットはＰＣＩＤモジュロ３に関連し得、ＰＣＩＤは、ＬＴＥ  Ｒｅｌ−８で提供されるセル識別を表す整数である。より具体的には、セル識別に従った周波数ドメインシフトは以下で与えられ得る。
【００４３】
１つのＰＲＢ内でＣＳＩ−ＲＳを搬送するＲＥに対応する副搬送波インデックスとしてｋを仮定すると、ｋ＝ｍ・（ＰＣＩＤｍｏｄ３）＋ｋ０であり、ここで：
ＣＳＩ−ＲＳのセルごとのパターンタイプ１に対して、ｍ＝１およびｋ０∈｛０，３，６，９｝；
ＣＳＩ−ＲＳのセルごとのパターンタイプ２に対して、ｍ＝２およびｋ０∈｛０，１，６，７｝である。
【００４４】
例えば、図３ＡでＣＳＩ−ＲＳのセルごとのパターンタイプ１および、例えば、図４ＡでＣＳＩ−ＲＳのＰＲＢごとのパターンにより示されるように、１つのＰＲＢでＣＳＩ−ＲＳのセルごとのパターンタイプ２内の最も左上のＲＥのＲＥロケーションが（ｋ’，ｌ’）により示され得る場合、０≦ｋ’＜１２はＰＲＢ内の副搬送波インデックスであり、ｌ’はサブフレーム内の時間シンボルインデックスであり、次いで同一のＣＳＩ−ＲＳのセルごとのパターンタイプ２に所属する全てのＣＳＩ−ＲＳ  ＲＥに対する１つのＰＲＢのＲＥロケーションは（ｋ，ｌ）により表され、ｋ＝ｋ’＋Δｋで与えられ得る。ここで、Δｋ∈｛０，−３，−６，−９｝およびｌ＝ｌ’＋Δｌであり、Δｌ∈｛０，１｝である。
【００４５】
ＣＳＩ−ＲＳ  ＲＥロケーションと、対応するＲＥインデックス間の関係は、さらに具体化され得る。例えば、図７Ａの左側の図に分類されたｉ番目のＣＳＩ−ＲＳ  ＲＥのＰＲＢにおけるロケーションが（ｋｉ，ｌｉ）により表され得ると仮定すると、０≦ｉ＜８に対してｌｉ＝ｌ’＋（ｉｍｏｄ２）であり、０≦ｊ＜４に対して
【００４６】
【数１】
0005273886.tif 000003
である。
【００４７】
次に、ＣＳＩ−ＲＳのセルごとのパターンタイプ２は、例えば、図５に示されるようにＣＳＩ−ＲＳのＰＲＢごとのパターンを築くために単独で使用され得る。この特定の実施形態において、ＣＳＩ−ＲＳのパターン再利用ファクターは５に等しい。
【００４８】
図３ＢのＣＳＩ−ＲＳのセルごとのパターンタイプ２および図５のＣＳＩ−ＲＳのＰＲＢごとのパターンにより示されるように、１つのＰＲＢにおけるＣＳＩ−ＲＳのセルごとのパターンタイプ２内の最も左上のＲＥのＲＥロケーションが（ｋ’，ｌ’）で表される場合、０≦ｋ’＜１２はＰＲＢ内の副搬送波インデックであり、ｌ’は１つのサブフレーム内の時間シンボルインデックスであり、次いで、同一のＣＳＩ−ＲＳのセルごとのパターンタイプ２に所属する全てのＣＳＩ−ＲＳ  ＲＥに対する１つのＰＲＢのＲＥロケーションは（ｋ，ｌ）により表され、ｋ＝ｋ’＋Δｋで与えられ得、ここでΔｋ∈｛０，−１，−６，−７｝およびｌ＝ｌ’＋Δｌであり、Δｌ∈｛０，１｝である。
【００４９】
ＣＳＩ−ＲＳ  ＲＥロケーションと、対応するＲＥインデックス間の関係は、さらに具体化され得る。例えば、図７Ｂの左側の図に分類されたｉ番目のＣＳＩ−ＲＳ  ＲＥのＰＲＢにおけるロケーションが（ｋｉ，ｌｉ）により表され得ると仮定すると、次いで０≦ｉ＜８に対してｌｉ＝ｌ’＋（ｉｍｏｄ２）であり、０≦ｊ＜４に対して
【００５０】
【数２】
0005273886.tif 000004
である。
【００５１】
加えて、図５でＣＳＩ−ＲＳのＰＲＢごとのパターンにより示されるように、５つのＣＳＩ−ＲＳのセルごとのパターンタイプ２は１つのＰＲＢにフィットし得るが、これら５つの（ｋ’，ｌ’）の可能な値は｛（９，５），（９，１２），（１１，９），（９，９），（７，９）｝により具体化され得る。ｌ’がサブフレームの代わりにスロットごとの時間シンボルインデックスの場合、これら５つの（ｋ’，ｌ’）の可能な値は｛（９，５），（９，５），（１１，２），（９，２），（７，２）｝により具体化され得る。
【００５２】
加えて、ＣＳＩ−ＲＳのセルごとのパターンタイプ２は、図６に示されるようなＣＳＩ−ＲＳのＰＲＢごとのパターンを築くために一緒に使用され得る。ＣＳＩ−ＲＳのパターン再利用ファクターは６に等しい。図６に示される、このＣＳＩ−ＲＳのパターンは、２層同一周波数システムにおいて特定の用途を有し、ここで異なる層上のセルは概略で異なるセルサイズを有す。そのような異成分から成るネットワークシナリオにおいて、異なる層上のセルは、例えば、図６（再利用ファクター＝３）において異なるＣＳＩ−ＲＳのセルごとのパターンを採用し得るか、または図６（再利用ファクター＝６）において任意のＣＳＩ−ＲＳのセルごとのパターンを採用し得る。ＣＳＩ−ＲＳのセルごとのパターンタイプ３に対して、図６に示されるようにＰＲＢに適用されるも、ＣＳＩ−ＲＳのセルごとのパターン２なし（そのため再利用ファクターは３のみ）の場合、周波数ドメインシフトも可能であり得る。ｋを１つのＰＲＢ内のＣＳＩ−ＲＳを搬送するＲＥに対応する副搬送波インデックスとして仮定すると、次いで、ｋ＝ｍ・（ＰＣＩＤｍｏｄ３）＋ｋ０であり、ここで、ｍ＝１およびｋ０∈｛２，７｝である。
【００５３】
各セルごとのパターンにおけるＣＳＩ−ＲＳ  ＲＥインデックス配列は、図７Ａ〜図７Ｃに示されるように、最初に時間ドメイン配列によりなされ得、続いて周波数ドメイン配列によりなされ得るか、またはその逆によりなされ得る。あるセルのアンテナポートの数が例えば８より少ないとき（つまり４または２に等しい）、ＣＳＩ−ＲＳのセルごとのパターンタイプ１〜３で０〜３または０〜１に所属するＲＥインデックスのＲＥのサブセットが、４または２のＣＳＩ−ＲＳ  ＲＥを搬送するための新しいＣＳＩ−ＲＳのセルごとのパターンとして使用され得る。オリジナルのセルごとのパターンで４〜７または２〜７に所属するＲＥインデックスのＲＥの残りは、さまざまな実施形態に従って、追加のセルがパターンの再利用ファクターを増加させるために使用され得る。より具体的には、図７Ａ〜図７Ｃのインデックス０〜３または４〜７を有する任意の４つのＣＳＩ−ＲＳ  ＲＥが４ポートＣＳＩ−ＲＳ割り当てのために使用され得る。図７Ａ〜図７Ｃのインデックス（２ｊ）および（２ｊ＋１）を有する任意の２つのＣＳＩ−ＲＳ  ＲＥは、描写される実施形態に従って、２ポートＣＳＩ−ＲＳ割り当てのために使用され得る。
【００５４】
例えば、ＣＳＩ−ＲＳのセルごとのパターンタイプ１およびＣＳＩ−ＲＳのセルごとのパターンタイプ２におけるＣＳＩ−ＲＳ送信のためのＣＤＭ−Ｔ多重放送の場合、２つのＣＳＩ−ＲＳポートが、時間ドメインにおいて隣接するＲＥの同一のペアを共有し得る。例えば、最初の２つのＣＳＩ−ＲＳポートは、ＣＳＩ−ＲＳ  ＲＥ｛０，１｝を共有し得、次の２つのＣＳＩ−ＲＳポートはＣＳＩ−ＲＳ  ＲＥ｛２，３｝を共有し得る、と続いていく。
【００５５】
上記で本発明のさまざまな実施形態が説明された一方で、それらは例としてのみ示されたのであって、限定として示されたものではないということは理解されるべきである。同様に、さまざまなダイヤグラムが例示的アーキテクチャまたは他の構成を本開示のために描写し得るが、それは本開示に含まれ得る特徴および機能性の理解を助けるためになされたものである。本開示は描写された例示的アーキテクチャまたは構成に制限されるものではなく、さまざまな代替のアーキテクチャおよび構成を用いてインプリメントされ得る。加えて、本発明は、さまざまな例示的実施形態およびインプリメンテーションによって上記で説明されるが、１つ以上の個別の実施形態で説明されたさまざまな特徴および機能性は、その用途において、説明された特定の実施形態に限定されるわけではないことは理解されるべきである。代わりに、そのような実施形態が説明されているかどうかに関わらず、かつそのような特徴が説明された実施形態の一部として示されているかどうかに関わらず、単体またはある組み合わせにより、本発明の１つ以上の他の実施形態に適用され得る。そのため、本発明の幅および範囲は、上記で説明された例示的実施形態のいずれにも限定されるべきではない。
【００５６】
本明細書において、本明細書で使用される「モジュール」という用語は、本明細書で説明される関連付けられた機能を実行するソフトウェア、ファームウェア、ハードウェアおよびこれら要素の任意の組み合わせに言及する。加えて、議論のために、さまざまなモジュールが別々のモジュールとして説明される。しかし、当業者には明らかなように、本発明の実施形態に従って、関連付けられた機能を実行する単一のモジュールを形成するために、２つ以上のモジュールが接続され得る。
【００５７】
本明細書において、「コンピュータープログラム製品」、「コンピューター読取り可能な媒体」やその類似表現は、一般に、メモリ格納デバイスまたは格納ユニットのような媒体を言及するために使用され得る。これらおよび他のコンピューター読取り可能な媒体の形態は、プロセッサに特定の作動を実行させるためのプロセッサによる使用に対する１つ以上の命令を格納することに関係し得る。そのような命令は、一般に「コンピュータープログラムコード」（コンピュータープログラムの形態または他のグループに分類され得る）と呼ばれ、実行されるとコンピューターシステムを動作可能にする。
【００５８】
上記の説明が、明確さの目的で、異なる機能的ユニットおよびプロセッサに関連して、本発明の実施形態を説明することが認められる。しかし、異なる機能的ユニット、プロセッサまたはドメイン間の機能性の任意の適切な分布が、本発明から逸脱することなしに使用され得ることは明らかである。例えば、別個のプロセッサまたはコントローラーにより実行される、描写された機能性は、同一のプロセッサまたはコントローラーにより実行され得る。したがって、特定の機能的ユニットを参照することは、厳密なロジックまたは物理的な構造や構成を意味しているというよりはむしろ、説明された機能性を提供する適切な手段を参照しているとして見なすに過ぎない。
【００５９】
本明細書で使用される用語および表現、そのバリエーションは、そうでないと明示的に述べられない限り、限定とは反対の拡張できるものとして解釈されるべきである。前述の例として、「含む」という用語は、「限定なしに含む」などの意味として読まれるべきである。「例」という用語は、議論の項目の例示的な例を提供するために使用されており、その網羅的または限定的リストではない。「従来の」、「伝統的な」、「通常の」、「標準の」、「公知の」という形容詞および類似の意味の用語は、説明される項目を一定の時間期間または一定の時間から利用可能な項目に限定するものとして解釈されるべきではない。その代わりに、これらの用語は、現在利用可能、公知または将来のいずれの一時点で利用可能、公知の、従来の、伝統的な、通常の、または標準の技術を包括するものとして読まれるべきである。同じ様に、「および」という接続詞で接続された項目のグループは、それら項目のいずれもがグループ内に存在していることを要求すると読まれるべきではなく、むしろ、明示的にそうでないと述べられない限り、「および／または」として読まれるべきである。同様に、「または」という接続詞で接続された項目のグループは、そのグループ内で相互排他的であることを要求するものとして読まれるべきではなく、むしろ、明示的にそうでないと延べられない限り、「および／または」として、また、読まれるべきである。さらに、本発明の項目、要素またはコンポーネントは単数形で説明または主張され得るが、単数形への限定が明示的に述べられない限り、複数形がその範囲内に想定される。いくつかの例における「１つ以上」、「少なくとも」、「しかし限定されるわけではない」または他の類似の表現のような拡張的語および表現の存在は、そのような拡張的表現が不在であり得る例において、より狭いケースが意図されているまたは要求されていると意味していると読まれるべきではない。
【００６０】
加えて、コミュニケーションコンポーネントと同様に、メモリまたは他の格納が、本発明の実施形態で採用され得る。上記の説明が、明確さの目的で、異なる機能的ユニットおよびプロセッサに関連して、本発明の実施形態を説明することが認められる。しかし、異なる機能的ユニット、処理ロジック要素またはドメイン間の機能性の任意の適切な分布が、本発明から逸脱することなしに使用され得ることは明らかである。例えば、別個の処理ロジック要素またはコントローラーにより実行される、描写された機能性は、同じ処理ロジック要素またはコントローラーにより実行され得る。したがって、特定の機能的ユニットを参照することは、厳密なロジックまたは物理的な構造または構成を意味しているというよりはむしろ、説明された機能性を提供する適切な手段を参照しているとして見なすに過ぎない。
【００６１】
さらに、個別にリストにされているが、複数の手段、要素または方法ステップが、例えば単一のユニットまたは処理ロジック要素によりインプリメントされ得る。加えて、個別の特徴が、異なる特許請求の範囲に含まれ得るが、これらは恐らく好都合に結合され得る。異なる特許請求の範囲に含まれることは、特徴の組み合わせが可能でないことおよび／または好都合でないことを意味しない。また、特徴を特許請求の範囲の１つのカテゴリーに含めることは、このカテゴリーに限定することを意味しておらず、むしろ、特徴が均等に他の特許請求の範囲のカテゴリーに、適切に、適用可能であり得る。
本願明細書は、例えば、以下の項目も提供する。
（項目１）
直交周波数分割多重（ＯＦＤＭ）システムにおいて、チャネル状態情報参照信号（ＣＳＩ−ＲＳ）の送信のために、リソース要素を割り当てる方法であって、該方法は、
１つ以上のリソース要素を２次元周波数時間ドメインへ変換することと、
該１つ以上の変換されたリソース要素を物理的なリソースブロック（ＰＲＢ）のユニットへ分割することと、
１つ以上のリソース要素を該ＰＲＢの少なくとも一部に対して該ＣＳＩ−ＲＳの送信のためにパターン付けることと
を含む、方法。
（項目２）
項目１の方法であって、１つのＰＲＢの時間ドメイン次元は、１つのサブフレームである、方法。
（項目３）
項目１の方法であって、該方法は、
セル固有参照信号（ＣＲＳ）、物理的ダウンリンク制御チャネル（ＰＤＣＣＨ）および復調参照信号（ＤＭＲＳ）のうちの少なくとも１つを含む規則的なダウンリンクサブフレームにおける前記ＣＳＩ−ＲＳに前記１つ以上のリソース要素が利用可能かどうかに基づいて決定される１つ以上のリソース要素を使用して該ＣＳＩ−ＲＳを送信することをさらに含む、方法。
（項目４）
項目１の方法であって、セルごとの前記ＣＳＩ−ＲＳリソース要素は、１つのＰＲＢにおける２つのＯＦＤＭシンボル上の最も大きい副搬送波インデックスを有する該ＣＳＩ−ＲＳリソース要素のペアから下方にカウントして、副搬送波の三ペアごとにおいて同一の２つのＯＤＦＭシンボル内に配置される該ＣＳＩ−ＲＳリソース要素のペアとして該ＰＲＢ内にパターン付けられる、方法。
（項目５）
項目４の方法であって、前記ＣＳＩ−ＲＳリソース要素のペアが割り当てられ得る同一の２つのＯＦＤＭシンボルは、シンボル９およびシンボル１０であり、結果として３と等しい再利用ファクターが生じる、方法。
（項目６）
項目４の方法であって、前記１つのＰＲＢにおける前記ＣＳＩ−ＲＳリソース要素のペアの前記最も大きい副搬送波インデックスは、｛９，１０，１１｝のいずれかの値であり得る、方法。
（項目７）
項目１の方法であって、セルごとの前記ＣＳＩ−ＲＳリソース要素は、前記１つのＰＲＢにおける２つのＯＦＤＭシンボル上の最も大きい副搬送波インデックスを有する該ＣＳＩ−ＲＳリソース要素のペアから下方へカウントして１番目、６番目および７番目の該副搬送波のペアと、同一の２つのＯＦＤＭシンボル内に配置された該ＣＳＩ−ＲＳリソース要素のペアとして該ＰＲＢ内にパターン付けられる、方法。
（項目８）
項目７の方法であって、前記ＣＳＩ−ＲＳリソース要素のペアが割り当てられ得る前記同一の２つのＯＦＤＭシンボルは、１つのサブフレームのスロットか、または該１つのサブフレームの２番目のスロットにおける該サブフレームのシンボル２およびシンボル３の、どちらかにおけるシンボル５およびシンボル６である、方法。
（項目９）
項目７の方法であって、１つのＰＲＢにおける前記ＣＳＩ−ＲＳリソース要素のペアの前記最も大きい副搬送波インデックスは、｛７，９，１１｝のいずれかの値であり得る、方法。
（項目１０）
項目７の方法であって、
前記ＣＳＩ−ＲＳリソース要素は、シンボル｛９，１０｝に割り当てられ、再利用ファクターは３であるか、または
該ＣＳＩ−ＲＳリソース要素は、シンボル｛５，６｝、｛９，１０｝および｛１２，１３｝に割り当てられ、再利用ファクターは５である、
方法。
（項目１１）
項目４の方法であって、各パターンにおけるＣＳＩ−ＲＳ  ＲＥインデックス配列は、時間ドメイン配列および周波数ドメイン配列により取られ得、前記ｉ番目のＣＳＩ−ＲＳ
ＲＥの前記ＰＲＢ内のロケーションは、（ｋｉ，ｌｉ）により表され、０≦ｉ＜８に対してｌｉ＝ｌ’＋（ｉｍｏｄ２）であり、０≦ｊ＜４に対して
【数３】
0005273886.tif 000005
により与えられ、ここで（ｋ’，ｌ’）は、各ＣＳＩ−ＲＳのセルごとのパターンにおける最大の副搬送波インデックスおよび最小のシンボルインデックスを有するＣＳＩ−ＲＳリソース要素のロケーションである、方法。
（項目１２）
項目７の方法であって、各パターンにおけるＣＳＩ−ＲＳ  ＲＥインデックス配列は、時間ドメイン配列および周波数ドメイン配列により取られ得、前記ｉ番目のＣＳＩ−ＲＳ
ＲＥの前記ＰＲＢ内のロケーションは、（ｋｉ，ｌｉ）により表され、０≦ｉ＜８に対してｌｉ＝ｌ’＋（ｉｍｏｄ２）であり、０≦ｊ＜４に対して
【数４】
0005273886.tif 000006
により与えられ、ここで（ｋ’，ｌ’）は、各ＣＳＩ−ＲＳのセルごとのパターンにおける最大の副搬送波インデックスおよび最小のシンボルインデックスを有するＣＳＩ−ＲＳリソース要素のロケーションである、方法。
（項目１３）
項目４の方法であって、
あるセルのアンテナポートの数が８より少ない場合、前記ＣＳＩ−ＲＳのセルごとのパターンにおけるインデックス０〜３または０〜１を有するリソース要素のサブセットは、４ポートＣＳＩ−ＲＳまたは２ポートＣＳＩ−ＲＳを送信するための新しいＣＳＩ−ＲＳのセルごとのパターンとして使用され、
該ＣＳＩ−ＲＳのセルごとのパターンにおけるインデックス４〜７または２〜７を有するリソース要素は、パターン再利用ファクターを増加させるために追加のセルからＣＳＩ−ＲＳを、インデックス４〜７を有するリソース要素上の４ポートＣＳＩ−ＲＳおよびインデックス２ｊおよび２ｊ＋１を有するリソース要素上の２ポートＣＳＩ−ＲＳと共に送信されるために使用され、ここでｊは整数である、
方法。
（項目１４）
項目７の方法であって、
あるセルのアンテナポートの数が８より少ない場合、前記ＣＳＩ−ＲＳのセルごとのパターンにおけるインデックス０〜３または０〜１を有するリソース要素のサブセットは、該ＣＳＩ−ＲＳを送信するための新しいＣＳＩ−ＲＳのセルごとのパターンとして使用され、
該ＣＳＩ−ＲＳのセルごとのパターンにおけるインデックス４〜７または２〜７を有するリソース要素は、パターン再利用ファクターを増加させるために追加のセルからＣＳＩ−ＲＳを、インデックス４〜７を有するリソース要素上の４ポートＣＳＩ−ＲＳおよびインデックス２ｊおよび２ｊ＋１を有するリソース要素上の２ポートＣＳＩ−ＲＳと共に送信されるために使用され、ここでｊは整数である、
方法。
（項目１５）
直交周波数分割多重（ＯＦＤＭ）システムにおいてチャネル状態情報参照信号（ＣＳＩ−ＲＳ）の送信のためにリソース要素を割り当てるように構成されているステーションであって、該ステーションは、
該１つ以上のリソース要素を２次元周波数時間ドメインへ変換するように構成されている変換ユニットと、
該１つ以上の変換されたリソース要素を物理的なリソースブロック（ＰＲＢ）のユニットへ分割するように構成されている分割ユニットと、
該１つ以上のリソース要素を該ＰＲＢの少なくとも一部に対して該ＣＳＩ−ＲＳの送信のためにパターン付けるように構成されているパターンユニットと
を含む、ステーション。
（項目１６）
項目１５のステーションであって、前記１つのＰＲＢの時間ドメイン次元は、１つのサブフレームである、ステーション。
（項目１７）
項目１５のステーションであって、該ステーションは、
セル固有参照信号（ＣＲＳ）、物理的ダウンリンク制御チャネル（ＰＤＣＣＨ）および復調参照信号（ＤＭＲＳ）のうちの少なくとも１つを含む規則的なダウンリンクサブフレームにおける前記ＣＳＩ−ＲＳに前記１つ以上のリソース要素が利用可能かどうかに基づいて決定される該１つ以上のリソース要素を使用して該ＣＳＩ−ＲＳを送信するように構成されている送信器を含む、ステーション。
（項目１８）
項目１５のステーションであって、セルごとの前記ＣＳＩ−ＲＳリソース要素は、前記１つのＰＲＢにおける２つのＯＦＤＭシンボル上の最も大きい副搬送波インデックスを有する該ＣＳＩ−ＲＳリソース要素のペアから下方にカウントして副搬送波の三ペアごとにおいて同一の２つのＯＤＦＭシンボル内に配置される該ＣＳＩ−ＲＳリソース要素のペアとして該ＰＲＢ内にパターン付けられる、ステーション。
（項目１９）
項目１８のステーションであって、前記ＣＳＩ−ＲＳリソース要素のペアが割り当てられ得る同一の２つのＯＦＤＭシンボルは、シンボル９およびシンボル１０であり、結果として３と等しくなる再利用ファクターが生じる、ステーション。
（項目２０）
項目１８のステーションであって、前記１つのＰＲＢにおける前記ＣＳＩ−ＲＳリソース要素のペアの前記最も大きい副搬送波インデックスは、｛９，１０，１１｝のいずれかの値であり得る、ステーション。
（項目２１）
項目１５のステーションであって、セルごとの前記ＣＳＩ−ＲＳリソース要素は、前記１つのＰＲＢにおける２つのＯＦＤＭシンボル上の最も大きい副搬送波インデックスを有する該ＣＳＩ−ＲＳリソース要素のペアから下方へカウントして１番目、６番目および７番目の該副搬送波のペアと、同一の２つのＯＦＤＭシンボル内に配置された該ＣＳＩ−ＲＳリソース要素のペアとして該ＰＲＢ内にパターン付けられた、ステーション。
（項目２２）
項目２１のステーションであって、前記ＣＳＩ−ＲＳリソース要素のペアが割り当てられ得る前記同一の２つのＯＦＤＭシンボルは、１つのサブフレームの２番目のスロットにおける該サブフレームのスロットまたはシンボル２およびシンボル３のどちらかにおける、シンボル５およびシンボル６である、ステーション。
（項目２３）
項目２１のステーションであって、前記１つのＰＲＢにおける前記ＣＳＩ−ＲＳリソース要素のペアの前記最も大きい副搬送波インデックスは、｛７，９，１１｝のいずれかの値であり得る、ステーション。
（項目２４）
項目２１のステーションであって、
前記ＣＳＩ−ＲＳリソース要素は、シンボル｛９，１０｝に割り当てられ、再利用ファクターは３であるか、または
前記ＣＳＩ−ＲＳリソース要素は、シンボル｛５，６｝、｛９，１０｝および｛１２，１３｝に割り当てられ、再利用ファクターは５である、
ステーション。
（項目２５）
項目１８のステーションであって、各パターンにおけるＣＳＩ−ＲＳ  ＲＥインデックス配列は、時間ドメイン配列および周波数ドメイン配列により取られ得、前記ｉ番目のＣＳＩ−ＲＳ  ＲＥの前記ＰＲＢ内のロケーションは、（ｋｉ，ｌｉ）により表され、０≦ｉ＜８に対してｌｉ＝ｌ’＋（ｉｍｏｄ２）であり、０≦ｊ＜４に対して
【数５】
0005273886.tif 000007
により与えられ、ここで（ｋ’，ｌ’）は、各ＣＳＩ−ＲＳのセルごとのパターンにおける最大の副搬送波インデックスおよび最小のシンボルインデックスを有するＣＳＩ−ＲＳリソース要素のロケーションである、ステーション。
（項目２６）
項目２１のステーションであって、各パターンにおけるＣＳＩ−ＲＳ  ＲＥインデックス配列は、時間ドメイン配列および周波数ドメイン配列により取られ得、前記ｉ番目のＣＳＩ−ＲＳ  ＲＥの前記ＰＲＢ内のロケーションは、（ｋｉ，ｌｉ）により表され、０≦ｉ＜８に対してｌｉ＝ｌ’＋（ｉｍｏｄ２）であり、０≦ｊ＜４に対して
【数６】
0005273886.tif 000008
により与えられ、ここで（ｋ’，ｌ’）は、各ＣＳＩ−ＲＳのセルごとのパターンにおける最大の副搬送波インデックスおよび最小のシンボルインデックスを有するＣＳＩ−ＲＳリソース要素のロケーションである、ステーション。
（項目２７）
項目１８のステーションであって、
あるセルのアンテナポートの数が８より少ない場合、前記ＣＳＩ−ＲＳのセルごとのパターンにおけるインデックス０〜３または０〜１を有するリソース要素のサブセットは、４ポートＣＳＩ−ＲＳまたは２ポートＣＳＩ−ＲＳを送信するための新しいＣＳＩ−ＲＳのセルごとのパターンとして使用され、
該ＣＳＩ−ＲＳのセルごとのパターンにおけるインデックス４〜７または２〜７を有するリソース要素は、パターン再利用ファクターを増加させるために追加のセルからＣＳＩ−ＲＳを、インデックス４〜７を有するリソース要素上の４ポートＣＳＩ−ＲＳおよびインデックス２ｊおよび２ｊ＋１を有するリソース要素上の２ポートＣＳＩ−ＲＳと共に送信されるために使用され、ここでｊは整数である、
ステーション。
（項目２８）
項目２１のステーションであって、
あるセルのアンテナポートの数が８より少ない場合、前記ＣＳＩ−ＲＳのセルごとのパターンにおけるインデックス０〜３または０〜１を有するリソース要素のサブセットは、該ＣＳＩ−ＲＳを送信するための新しいＣＳＩ−ＲＳのセルごとのパターンとして使用され、
該ＣＳＩ−ＲＳのセルごとのパターンにおけるインデックス４〜７または２〜７を有するリソース要素は、パターン再利用ファクターを増加させるために追加のセルからＣＳＩ−ＲＳを、インデックス４〜７を有するリソース要素上の４ポートＣＳＩ−ＲＳおよびインデックス２ｊおよび２ｊ＋１を有するリソース要素上の２ポートＣＳＩ−ＲＳと共に送信されるために使用され、ここでｊは整数である、
ステーション。
（項目２９）
項目１５のステーションであって、該ステーションは、ベースステーションである、ステーション。
（項目３０）
非一時的なコンピューターで読取り可能な媒体であって、直交周波数分割多重（ＯＦＤＭ）システムにおいてチャネル状態情報参照信号（ＣＳＩ−ＲＳ）の送信のためにリソース要素を割り当てる方法を実行するための命令を格納し、該方法は、
１つ以上のリソース要素を２次元周波数時間ドメインへ変換することと、
該１つ以上の変換されたリソース要素を物理的なリソースブロック（ＰＲＢ）のユニットへ分割することと、
該１つ以上のリソース要素を該ＣＳＩ−ＲＳの送信のために該ＰＲＢの少なくとも一部に対してパターン付けることと
を含む、媒体。
（項目３１）
項目３０のコンピューターで読取り可能な媒体であって、前記１つのＰＲＢの前記時間ドメイン次元は、１つのサブフレームである、媒体。
（項目３２）
項目３０のコンピューターで読取り可能な媒体であって、前記方法は、
セル固有参照信号（ＣＲＳ）、物理的ダウンリンク制御チャネル（ＰＤＣＣＨ）および復調参照信号（ＤＭＲＳ）のうちの少なくとも１つを含む規則的なダウンリンクサブフレームにおける前記ＣＳＩ−ＲＳに前記１つ以上のリソース要素が利用可能かどうかに基づいて決定される該１つ以上のリソース要素を用いて、該ＣＳＩ−ＲＳを送信すること
をさらに含む、媒体。
（項目３３）
項目３０のコンピューターで読取り可能な媒体であって、セルごとの前記ＣＳＩ−ＲＳリソース要素は、前記１つのＰＲＢにおける２つのＯＦＤＭシンボル上の最も大きい副搬送波インデックスを有する該ＣＳＩ−ＲＳリソース要素のペアから下方にカウントする副搬送波の三ペアごとにおいて同一の２つのＯＤＦＭシンボル内に配置される該ＣＳＩ−ＲＳリソース要素のペアとして該ＰＲＢ内にパターン付けられる、媒体。
（項目３４）
項目３３のコンピューターで読取り可能な媒体であって、前記ＣＳＩ−ＲＳリソース要素のペアが割り当てられ得る同一の２つのＯＦＤＭシンボルは、シンボル９およびシンボル１０であり、結果として３と等しくなる再利用ファクターが生じる、媒体。
（項目３５）
項目３３のコンピューターで読取り可能な媒体であって、前記１つのＰＲＢにおける前記ＣＳＩ−ＲＳリソース要素のペアの前記最も大きい副搬送波インデックスは、｛９，１０，１１｝のいずれかの値であり得る、媒体。
（項目３６）
項目３０のコンピューターで読取り可能な媒体であって、セルごとの前記ＣＳＩ−ＲＳリソース要素は、前記１つのＰＲＢにおける２つのＯＦＤＭシンボル上の最も大きい副搬送波インデックスを有する該ＣＳＩ−ＲＳリソース要素のペアから下方へカウントして１番目、６番目および７番目の該副搬送波のペアと、同一の２つのＯＦＤＭシンボル内に配置された該ＣＳＩ−ＲＳリソース要素のペアとして該ＰＲＢ内にパターン付けられる、媒体。
（項目３７）
項目３６のコンピューターで読取り可能な媒体であって、前記ＣＳＩ−ＲＳリソース要素のペアが割り当てられ得る前記同一の２つのＯＦＤＭシンボルは、１つのサブフレームのスロットか、または該１つのサブフレームの２番目のスロットにおける該サブフレームのシンボル２およびシンボル３の、どちらかにおけるシンボル５およびシンボル６である、媒体。
（項目３８）
項目３６のコンピューターで読取り可能な媒体であって、前記１つのＰＲＢにおける前記ＣＳＩ−ＲＳリソース要素のペアの前記最も大きい副搬送波インデックスは、｛７，９，１１｝のいずれかの値であり得る、媒体。
（項目３９）
項目３６のコンピューターで読取り可能な媒体であって、
前記ＣＳＩ−ＲＳリソース要素は、シンボル｛９，１０｝に割り当てられ、再利用ファクターは３であるか、または
該ＣＳＩ−ＲＳリソース要素は、シンボル｛５，６｝、｛９，１０｝および｛１２，１３｝に割り当てられ、再利用ファクターは５である、
媒体。
（項目４０）
項目３３のコンピューターで読取り可能な媒体であって、各パターンにおけるＣＳＩ−ＲＳ  ＲＥインデックス配列は、時間ドメイン配列および周波数ドメイン配列により取られ得、前記ｉ番目のＣＳＩ−ＲＳ  ＲＥの前記ＰＲＢ内のロケーションは、（ｋｉ，ｌｉ）により表され、０≦ｉ＜８に対してｌｉ＝ｌ’＋（ｉｍｏｄ２）であり、０≦ｊ＜４に対して
【数７】
0005273886.tif 000009
により与えられ、ここで（ｋ’，ｌ’）は、各ＣＳＩ−ＲＳのセルごとのパターンにおける最大の副搬送波インデックスおよび最小のシンボルインデックスを有するＣＳＩ−ＲＳリソース要素のロケーションである、媒体。
（項目４１）
項目３６のコンピューターで読取り可能な媒体であって、各パターンにおけるＣＳＩ−ＲＳ  ＲＥインデックス配列は、時間ドメイン配列および周波数ドメイン配列により取られ得、前記ｉ番目のＣＳＩ−ＲＳ  ＲＥの前記ＰＲＢ内のロケーションは、（ｋｉ，ｌｉ）により表され、０≦ｉ＜８に対してｌｉ＝ｌ’＋（ｉｍｏｄ２）であり、０≦ｊ＜４に対して
【数８】
0005273886.tif 000010
により与えられ、ここで（ｋ’，ｌ’）は、各ＣＳＩ−ＲＳのセルごとのパターンにおける最大の副搬送波インデックスおよび最小のシンボルインデックスを有するＣＳＩ−ＲＳリソース要素のロケーションである、媒体。
（項目４２）
項目３３のコンピューターで読取り可能な媒体であって、
あるセルのアンテナポートの数が８より少ない場合、前記ＣＳＩ−ＲＳのセルごとのパターンにおけるインデックス０〜３または０〜１を有するリソース要素のサブセットは、４ポートＣＳＩ−ＲＳまたは２ポートＣＳＩ−ＲＳを送信するための新しいＣＳＩ−ＲＳのセルごとのパターンとして使用され、
該ＣＳＩ−ＲＳのセルごとのパターンにおけるインデックス４〜７または２〜７を有するリソース要素は、パターン再利用ファクターを増加させるために追加のセルからＣＳＩ−ＲＳを、インデックス４〜７を有するリソース要素上の４ポートＣＳＩ−ＲＳおよびインデックス２ｊおよび２ｊ＋１を有するリソース要素上の２ポートＣＳＩ−ＲＳと共に送信されるために使用され、ここでｊは整数である、
媒体。
（項目４３）
項目３６のコンピューターで読取り可能な媒体であって、
あるセルのアンテナポートの数が８より少ない場合、前記ＣＳＩ−ＲＳのセルごとのパターンにおけるインデックス０〜３または０〜１を有するリソース要素のサブセットは、該ＣＳＩ−ＲＳを送信するための新しいＣＳＩ−ＲＳのセルごとのパターンとして使用され、
該ＣＳＩ−ＲＳのセルごとのパターンにおけるインデックス４〜７または２〜７を有するリソース要素は、パターン再利用ファクターを増加させるために追加のセルからＣＳＩ−ＲＳを、インデックス４〜７を有するリソース要素上の４ポートＣＳＩ−ＲＳおよびインデックス２ｊおよび２ｊ＋１を有するリソース要素上の２ポートＣＳＩ−ＲＳと共に送信されるために使用され、ここでｊは整数である、
媒体。
【図１】
0005273886.tif 000014
【図２】
0005273886.tif 000015
【図３Ａ】
0005273886.tif 000016
【図３Ｂ】
0005273886.tif 000017
【図４Ａ】
0005273886.tif 000018
【図４Ｂ】
0005273886.tif 000019
【図５】
0005273886.tif 000020
【図６】
0005273886.tif 000021
【図７Ａ】
0005273886.tif 000022
【図７Ｂ】
0005273886.tif 000023
【図７Ｃ】
0005273886.tif 000024